【手続補正書】
【提出日】平成17年4月28日(2005.4.28)
【手続補正１】
【補正対象書類名】特許請求の範囲
【補正対象項目名】全文
【補正方法】変更
【補正の内容】
【特許請求の範囲】
【請求項１】
患者へ催眠薬を投与する方法であって、前記方法は、
（ａ）患者に提供されるべき望ましい催眠レベルを確立するステップと、
（ｂ）患者へ催眠薬を投与するステップと、
（ｃ）患者からＥＥＧ信号データを得るステップと、
（ｄ）ＥＧＧ信号データの複雑さの少なくとも１つの測定値を得るステップと、
（ｅ）ＥＥＧ信号データの複雑さから患者に存在する催眠レベルを決定するステップと、
（ｆ）患者に存在する催眠レベルを望ましい催眠レベルと比較するステップと、
（ｇ）ステップ（ｆ）の比較に従って、患者への催眠薬の投与を制御するステップと、
を有する方法。
【請求項２】
ステップ（ｄ）は、ＥＥＧ信号データのエントロピー、好ましくはスペクトルエントロピー又は近似のエントロピーを測定すると更に定義される、請求項１に記載の方法。
【請求項３】
ステップ（ｄ）は、Ｌｅｍｐｅｌ−Ｚｉｖ複雑さ測定値を使用し及び／又はフラクタルスペクトル分析を実行すると更に定義される、請求項１に記載の方法。
【請求項４】
ステップ（ｃ）は、患者の筋肉の活動からの結果のＥＭＧ信号を得ると更に定義され、この方法は、患者への催眠薬の投与を制御するのにＥＥＧ信号の複雑さの得られた測定値と共に使用する患者のＥＭＧ活動の測定値、好ましくはＥＭＧ信号の周波数領域パワースペクトルから測定値を得るステップを更に有する、請求項１に記載の方法。
【請求項５】
ステップ（ｃ）は患者の筋肉活動からの結果のＥＭＧ信号を得ると更に定義され、ステップ（ｄ）は、患者への催眠薬の投与を制御するのにＥＥＧ信号の複雑さの得られた測定値と共に使用するための、ＥＥＧ信号とＥＭＧ信号を統合する周波数スペクトルをわたりＥＥＧ信号データの複雑さの測定値を得るステップを更に有する、請求項４に記載の方法。
【請求項６】
患者に対する望ましい心臓血管の特徴を確立するステップと；患者から心臓血管のデータを得るステップと；患者の心臓血管のデータを望ましい心臓血管の特徴と比較するステップと；更に心臓血管の特徴とデータの比較に従って催眠薬の投与を制御するステップを更に有する、請求項１に記載の方法。
【請求項７】
薬物投与を制御するのに使用する、患者内の催眠薬の薬理学的効果と患者への薬物の投与の間の伝達関数を確立するステップを更に有する、請求項１に記載の方法。
【請求項８】
患者への薬物の投与を制御するのに薬物動態学モデルを使用するステップを更に有する、請求項１に記載の方法。
【請求項９】
患者への薬物の投与を制御するために伝達関数を確立するのに薬物動態学モデル及び／又は薬力学モデルを使用するステップを更に有する、請求項７に記載の方法。
【請求項１０】
薬物の投与を制御するのに使用する、患者の呼吸ガス内の揮発性催眠薬の量を測定し且つ、該測定値を使用して、催眠薬の投与を制御し、及び／又は伝達関数を確立するステップを更に有する、請求項１又は７に記載の方法。
【請求項１１】
患者から心臓血管のデータを得るステップと、催眠薬の投与を制御するのに使用するための伝達関数を確立するのに心臓血管のデータを使用するステップを更に有する、請求項７に記載の方法。
【請求項１２】
患者への催眠薬の投与を制御するのに使用するために、患者、催眠薬、医療手順、患者の前の麻酔状態及び内科医の１つ又はそれ以上に関連する情報を提供し及び／又は記憶するステップを更に有する、請求項１に記載の方法。
【請求項１３】
麻酔の時間の経過につれて情報を発生し、患者への催眠薬の投与を制御するのに発生された情報を使用するステップを有する、請求項１に記載の方法。
【請求項１４】
患者へ催眠薬を投与する装置であって、前記装置は、
（ａ）患者についての望ましい催眠レベルに対応する信号を確立する手段を有し、
（ｂ）患者へ催眠薬を投与する麻酔薬送出しユニットを有し、
（ｃ）患者からＥＥＧ信号データを得るセンサを有し、
（ｄ）ＥＧＧ信号データの複雑さから患者に存在する催眠レベルを決定し且つ同様なものに対応する信号を供給するために、ＥＥＧ信号データの複雑さの少なくとも１つの測定値を得るために前記センサに接続された手段を有し、
（ｅ）前記構成要素（ａ）と（ｃ）に接続された入力と構成要素（ｂ）に接続された出力を有する比較器を有する制御ユニットを有し、前記比較器は、患者内に存在する催眠レベルに対応する信号と望ましい催眠レベルに対応する信号を比較し且つ、比較に従って、麻酔薬送出しユニットと催眠薬の投与を制御する出力信号を供給する、
装置。
【請求項１５】
構成要素（ｄ）は、患者内に存在する催眠レベルを決定するために、ＥＥＧ信号データのエントロピー、好ましくはスペクトルエントロピー又は近似のエントロピーを測定する手段として更に定義される、請求項１４に記載の装置。
【請求項１６】
構成要素（ｄ）は、患者内に存在する催眠レベルを決定するために、Ｌｅｍｐｅｌ−Ｚｉｖ複雑さ測定値を使用し及び／又はフラクタルスペクトル分析を実行する手段として更に定義される、請求項１４に記載の装置。
【請求項１７】
構成要素（ｃ）は、患者の筋肉の活動からの結果のＥＭＧ信号を得るセンサとして更に定義され、構成要素（ｄ）は、ＥＭＧ信号からのＥＭＧ活動の測定値、好ましくは周波数領域パワースペクトルを得て且つ、患者の催眠レベルに対応する信号を供給するために、同じものをＥＥＧ信号の複雑さから得られる測定値と共に使用すると更に定義される、請求項１４に記載の装置。
【請求項１８】
構成要素（ｃ）は患者の筋肉活動からの結果のＥＭＧ信号を得るセンサとして更に定義され、構成要素（ｄ）は、患者の催眠レベルを決定するために、ＥＥＧ信号の複雑さの得られた測定値と共に使用するための、ＥＥＧ信号とＥＭＧ信号を統合する周波数スペクトルをわたりＥＥＧ信号データの複雑さを得る手段として更に定義される、請求項１７に記載の装置。
【請求項１９】
患者に対する望ましい心臓血管の特徴に対応する信号を供給する手段；患者から心臓血管の信号データを得る手段と；患者の心臓血管の信号データを望ましい心臓血管の特徴信号と比較する手段と；心臓血管の特徴信号と心臓血管の信号データの比較に従って麻酔薬送出しユニットと催眠薬の投与を制御する手段とを更に有する、請求項１４に記載の装置。
【請求項２０】
前記制御ユニット内に、前記麻酔薬送出しユニットを制御するのに使用するための、患者内の薬理学的効果と患者への薬物の投与の間の伝達関数を確立する手段を更に有する、請求項１４に記載の装置。
【請求項２１】
前記麻酔薬送出しユニットの動作を制御するのに使用するために、前記制御ユニット内に、薬物動態学モデル手段及び／又は薬力学モデル手段を更に有する、請求項１４に記載の装置。
【請求項２２】
前記麻酔薬送出しユニットの動作を制御するのに、前記伝達関数手段と共に使用するために、薬物動態学モデル手段及び／又は薬力学モデル手段を更に有する、請求項１４に記載の装置。
【請求項２３】
患者の呼吸ガス内の揮発性催眠薬の量を測定し且つ麻酔薬送出しユニットを制御するのに使用するために、前記制御ユニットに接続され、及び／又は前記手段は伝達関数を確立するのに使用するために前記伝達関数手段に接続された手段を更に有する、請求項１４に記載の装置。
【請求項２４】
患者から心臓血管のデータを得る手段を更に有し、前記手段は伝達関数を確立するのに使用するために前記伝達関数手段へ接続されている、請求項２０に記載の装置。
【請求項２５】
患者への催眠薬の投与を制御するのに使用するために、患者、催眠薬、医療手順、患者の前の麻酔状態及び内科医の１つ又はそれ以上に関連する情報を提供し及び／又は記憶する手段を更に有する、請求項１４に記載の装置。
【請求項２６】
麻酔の時間の経過につれて情報を発生し、患者への催眠薬の投与を制御するのに発生された情報を使用する手段を有する、請求項１４に記載の装置。